(57)【特許請求の範囲】
【請求項１】
ガス流路内に流れの方向に相対して一定距離だけ離れて配置され超音波信号を送受信する第１及び第２の振動子と、該振動子の送受信を切り換える切換手段と、前記一方の振動子から超音波信号が送信され他方の振動子で基準レベル以上の信号が受信されたとき、前記振動子間相互の超音波伝搬を予め定めた複数回行う繰り返し手段と、前記繰り返し時に送信信号を遅らせる遅延手段と、各繰り返しの伝搬時間を計測する計時手段と、該計時手段の各計時値と前記遅延手段の遅延値との差に基づいて流量を算出する流量演算手段とを備える超音波式ガス流量計測部において発生する異常を検出して診断する異常診断装置において、
複数項目の異常を検出する異常検出手段と、
該異常検出手段によって検出した項目別の異常データを記憶する異常データ記憶手段と、
前記異常検出手段が異常を検出したとき又は要求に応じ、前記異常データ記憶手段に記憶されているデータに基づいて異常警告を行う警告手段と
を備え、
前記異常検出手段は、前記一方の振動子から超音波信号を送信した後、一定時間内に前記他方の振動子で基準レベル以上の信号を受信しないこと、又は、基準レベル以上の信号の受信に基づき正式受信位置を検出しないことを検出し該検出を計数する未検出検出手段と、予め定めた期間内に前記繰り返し手段が超音波伝搬を前記予め定めた複数回行わないことを検出する未完了検出手段とを有し、
前記繰り返し手段は、前記未検出検出手段による計数値が所定値未満のとき繰り返し動作を行い、
前記異常データ記憶手段は、前記未検出検出手段による計数値が所定値となったとき計数値を計数し記憶する未検出回数記憶手段と、前記未完了検出手段による検出回数と各未検出時の繰り返し回数とを未完了データとして記憶する未完了回数記憶手段とを有する
ことを特徴とする超音波式ガス流量計測部の異常診断装置。
【請求項２】
前記異常検出手段は、前記受信信号の振幅についての複数項目の異常を検出する振幅異常検出手段を有し、
前記異常データ記憶手段は、前記振幅異常検出手段により検出した回数を記憶する振幅異常回数記憶手段を有する
ことを特徴とする請求項１記載の超音波式ガス流量計測部の異常診断装置。
【請求項３】
前記振幅異常検出手段は、前記基準レベル以上の受信信号を受信しないとき、該基準レベルより小さい有無検出レベル以上の受信信号の有無を検出する信号有無検出手段を有し、
前記振幅異常回数記憶手段は、前記信号有無検出手段により検出した信号有りの回数を記憶する信号有検出回数記憶手段を有する
ことを特徴とする請求項２記載の超音波式ガス流量計測部の異常診断装置。
【請求項４】
前記振幅異常検出手段は、前記基準レベル以上の受信信号を受信しないとき、該基準レベルより小さい有無検出レベル以上の受信信号の有無を検出する信号有無検出手段を有し、
前記振幅異常回数記憶手段は、前記信号有無検出手段により検出した信号無しの回数を記憶する信号無回数記憶手段を有する
ことを特徴とする請求項２又は３記載の超音波式ガス流量計測部の異常診断装置。
【請求項５】
前記振幅異常検出手段は、前記遅延時間以前に予定外に受信する前記基準レベル以上の信号の有無を検出する予定外信号有無検出手段を有し、
前記振幅異常回数記憶手段は、前記予定外信号有無検出手段により検出した予定外信号有りの回数を記憶する予定外信号有回数記憶手段を有する
ことを特徴とする請求項２〜４のいずれかに記載の超音波式ガス流量計測部の異常診断装置。
【請求項６】
前記振幅異常検出手段は、前記基準レベルより大きい過大レベルの受信信号の有無を検出する過大信号有無検出手段を有し、
前記振幅異常回数記憶手段は、前記過大信号有無検出手段により検出した過大信号有りの回数を記憶する過大信号有回数記憶手段を有する
ことを特徴とする請求項２〜５のいずれかに記載の超音波式ガス流量計測部の異常診断装置。
【請求項７】
前記異常検出手段は、前記流量演算手段によって算出した流量について複数項目の異常を検出する流量異常検出手段を有する
ことを特徴とする請求項１〜６のいずれかに記載の超音波式ガス流量計測部の異常診断装置。
【請求項８】
前記流量異常検出手段は、流量のない状態から０以下の流量が所定時間継続したことを検出し、該回数を逆流として計数する逆流回数計数手段を有し、
前記異常データ記憶手段は、前記逆流回数計数手段による計数値を記憶する
ことを特徴とする請求項７に記載の超音波式ガス流量計測部の異常診断装置。
【請求項９】
前記警告手段は、音によって警告を行う放音警告手段、表示によって警告を行う表示警告手段、前記異常データ記憶手段に記憶している異常データを通信回線を介して遠隔地に送出する遠隔警告手段の少なくとも１つを有する
ことを特徴とする請求項１〜８のいずれかに記載の超音波式ガス流量計測部の異常診断装置。
【請求項１０】
請求項１〜９のいずれかに記載の超音波式ガス流量計測部の異常診断装置と、
前記超音波式ガス流量計測部の備える前記流量演算手段により算出した流量を積算してガス使用量を計量するとともに計量値を表示する計量表示手段と
を備えることを特徴とする超音波式ガスメータ。
【発明の詳細な説明】
【０００１】
【発明の属する技術分野】
本発明は超音波式ガス流量計測部の異常診断装置、及び該異常診断装置を備えた超音波式ガスメータに係り、特に、例えば、ガス流量を積算してガス使用量を計量する電子式ガスメータに適用され、ガス供給路に流れ方向に相対して一定離間して設けられ、一方から発信された超音波信号を他方にて受信する一対の振動子と、前記振動子間の超音波信号伝搬時間を計測し、該計測した超音波信号伝搬時間に基づいてガス供給路に流れるガス流の流速を計測する流速計測手段とを有し、該流速計測手段によって計測した流速に基づいてガス流量を求める超音波式ガス流量計測部において発生する異常を検出して診断する異常診断装置、及び、該異常診断装置を備えた超音波式ガスメータに関するものである。
【０００２】
【従来の技術】
従来、超音波式流量計測装置として、例えば特開平９−２８０９１７号公報において提案されているものが知られている。この装置では、ガス流路内に流れの方向に相対して一定距離だけ離れて配置された超音波周波数で作動する例えば圧電式の第１及び第２の振動子を有し、一方の振動子から流れ方向に超音波を発生しこの超音波を他方の振動子で検出すると、遅延時間を設けて再び振動子から超音波を発生させ、この繰り返しを行ってその時間を計測し、逆に他方の振動子から流れに逆らって超音波を発生し同様の繰り返し時間を計測し、この計測した時間と遅延時間の差からガスの流速を演算するものである。上述したようにガスの流速を計測するに当たって、振動子によって発生した図８（ａ）に示すような送信波形の超音波を受信して得られる図８（ｂ）に示すような波形の受信信号を相互に検出することが行われるが、この受信信号の検出に当たって受信波形を基準レベルＲと比較することが行われる。
【０００３】
そして、ガス流路内を流れているガスの流速を間欠的に求め、この流速にガス流路の断面積を乗じて瞬時流量を求める演算処理を行うようになっている、この瞬時流量に間欠時間を乗じて通過流量を求め、更にこの通過流量を積算して求めた積算流量を表示することによって、電子式ガスメータを構成することができる。
【０００４】
【発明が解決しようとする課題】
ところで、上述したような受信信号の検出に当たって、基準レベルと比較される受信信号の波形には、種々の状況において振幅異常をきたすことがある。このようなことが起こると、受信信号の検出を正常に行えなくなり、時間計測、引いては流速計測に基づく流量計測を正確に行えなくなって、計測流量を積算表示するガスメータに誤積算が生じたり、計測流量によって行われるガス流量異常の判定にも誤りをきたし、ガス事故の原因を見逃す可能性が生じる。
【０００５】
しかし、上述した従来の超音波式流量計測装置においては、一般的に異常検出することは考えられても、異常発生の原因を具体的に特定することができるような異常診断を行えるようにする考え方がなく、異常が発生した後に時間をかけて解析しなければならず、異常発生に迅速に対処するには不十分なものであった。
【０００６】
振幅異常をきたす場合として、第１に、送信が行われていないのに、図９に示すように、基準レベルＲ以上の受信信号を常時受信される場合がある。これは振動子の取付環境の不備によって、受信回路や比較回路がノイズによって誤動作しているときに発生する。
【０００７】
第２に、超音波の送信が行われても、図１０及び図１１に示すように、基準レベル以上の受信波形が得られない場合がある。これは、振動子、受信回路に異常が生じていることによって生じ、原因としては、ガス流に含まれる塵などが振動子の表面に付着していたり、ガス流路への振動子の取付不備が生じていることなども考えられる。
【０００８】
第３に、第１の場合とは逆に、図１２に示すように、所定の受信振幅よりも大きく、受信増幅後の受信波形が電源電圧ＶDDでクランプされる現象が発生することがある。これは、第１の場合と同様に、送信回路、振動子、受信回路に異常が生じていることや、ガス流路への振動子の取付不備が生じていることが考えられる。
【０００９】
なお、振動子の異常は、お互いの共振周波数、反共振周波数、インピーダンス特性、Ｑ特性などの経年変化により変化が生じて発生することが考えられる。その他、各回路や振動子の断線、ショートの発生も予測される。
【００１０】
よって本発明は、上述した従来の問題に鑑み、異常発生の原因を具体的に特定することができるような異常診断を行えるようにした超音波式ガス流量計測部の異常診断装置を提供することを課題としている。
【００１１】
本発明はまた、計測流量に誤積算が生じたり、計測流量によって行われるガス流量異常の誤判定が生じたりする原因を具体的に特定して早期に対処できるようにした異常診断装置を備えた超音波式ガスメータを提供することを課題としている。
【００１２】
【課題を解決するための手段】
上記課題を解決するため成された請求項１記載の発明は、図１の基本構成図に示すように、ガス流路１０内に流れの方向に相対して一定距離だけ離れて配置され超音波信号を送受信する第１及び第２の振動子ＴＤ１及びＴＤ２と、該振動子の送受信を切り換える切換手段１４−１と、前記一方の振動子から超音波信号が送信され他方の振動子で基準レベル以上の信号が受信されたとき、前記振動子間相互の超音波伝搬を予め定めた複数回行う繰り返し手段１４−２と、前記繰り返し時に送信信号を遅らせる遅延手段１４−３と、各繰り返しの伝搬時間を計測する計時手段１４−４と、該計時手段の各計時値と前記遅延手段の遅延値との差に基づいて流量を算出する流量演算手段１４−５とを備える超音波式ガス流量計測部において発生する異常を検出して診断する異常診断装置において、複数項目の異常を検出する異常検出手段１４−６と、該異常検出手段によって検出した項目別の異常データを記憶する異常データ記憶手段１６と、前記異常検出手段が異常を検出したとき又は要求に応じ、前記異常データ記憶手段に記憶されているデータに基づいて異常警告を行う警告手段１４−８とを備え、前記異常検出手段は、前記一方の振動子から超音波信号を送信した後、一定時間内に前記他方の振動子で基準レベル以上の信号を受信しないこと、又は、基準レベル以上の信号の受信に基づき正式受信位置を検出しないことを検出し該検出を計数する未検出検出手段と、予め定めた期間内に前記繰り返し手段が超音波伝搬を前記予め定めた複数回行わないことを検出する未完了検出手段とを有し、前記繰り返し手段は、前記未検出検出手段による計数値が所定値未満のとき繰り返し動作を行い、前記異常データ記憶手段は、前記未検出検出手段による計数値が所定値となったとき計数値を計数し記憶する未検出回数記憶手段と、前記未完了検出手段による検出回数と各未検出時の繰り返し回数とを未完了データとして記憶する未完了回数記憶手段とを有する
こことを特徴とする超音波式ガス流量計測部の異常診断装置に存する。
【００１３】
請求項１記載の超音波式ガス流量計測部の異常診断装置においては、異常検出手段１４−６が複数項目の異常を検出し、検出した項目別の異常データを異常データ記憶手段１６が記憶し、異常検出手段１４−６が異常を検出したとき又は要求に応じ、異常データ記憶手段に記憶されているデータに基づいて警告手段１４−８が警告を行うようになっているので、警告によって項目別の異常を知らせることができる。
また、異常検出手段１４−６の有する未検出検出手段１４−６２が、一方の振動子から超音波信号を送信した後、一定時間内に他方の振動子で基準レベル以上の信号を受信しないこと、又は、基準レベル以上の信号の受信に基づき正式受信位置を検出しないことを検出して該検出を計数し、異常データ記憶手段１６の有する未検出回数記憶手段１６−２が、未検出検出手段による計数値が所定値となったとき計数値を計数し記憶するとともに、繰り返し手段が未検出検出手段による計数値が所定値未満のとき繰り返し動作を行うようになっているので、警告手段１４−８の警告によって、超音波信号を送信した後、一定時間内に基準レベル以上の信号を受信しないこと、又は、基準レベル以上の信号の受信に基づき正式受信位置を検出しない未検出異常を知らせることができる。
さらに、異常検出手段１４−６の有する未完了検出手段１４−６３が、予め定めた期間内に繰り返し手段が超音波伝搬を予め定めた複数回行わないことを検出し、異常データ記憶手段１６の有する未完了回数記憶手段１６−３が未完了検出手段による検出回数と各未検出時の繰り返し回数とを未完了データとして記憶するようになっているので、警告手段１４−８の警告によって、予め定めた期間内に超音波伝搬を予め定めた複数回行えない時間計測異常を知らせることができる。
【００１４】
請求項２記載の発明は、請求項１記載の超音波式ガス流量計測部の異常診断装置において、前記異常検出手段１４−６が、前記受信信号の振幅についての複数項目の異常を検出する振幅異常検出手段１４−６１を有し、前記異常データ記憶手段１６が、前記振幅異常検出手段により検出した回数を記憶する振幅異常回数記憶手段１６−１を有することを特徴とする超音波式ガス流量計測部の異常診断装置に存する。
【００１５】
請求項２記載の超音波式ガス流量計測部の異常診断装置においては、請求項１の発明の作用に加え、異常検出手段１４−６が有する振幅異常検出手段１４−６１が受信信号の振幅についての複数項目の異常を検出し、異常データ記憶手段１６の有する振幅異常回数記憶手段１６−１が振幅異常検出手段により検出した回数を記憶するようになっているので、警告手段１４−８の警告によって、受信信号の振幅についての複数項目の異常を知らせることができる。
【００１６】
請求項３記載の発明は、請求項２記載の超音波式ガス流量計測部の異常診断装置において、前記振幅異常検出手段１４−６１が、前記基準レベル以上の受信信号を受信しないとき、該基準レベルより小さい有無検出レベル以上の受信信号の有無を検出する信号有無検出手段１４−６１１を有し、前記振幅異常回数記憶手段１６−１が、前記信号有無検出手段により検出した信号有りの回数を記憶する信号有検出回数記憶手段１６−１１ａを有することを特徴とする超音波式ガス流量計測部の異常診断装置に存する。
【００１７】
請求項３記載の超音波式ガス流量計測部の異常診断装置においては、請求項２記載の発明の作用に加え、振幅異常検出手段１４−６１の有する信号有無検出手段１４−６１１が、基準レベル以上の受信信号を受信しないとき、該基準レベルより小さい有無検出レベル以上の受信信号の有無を検出し、振幅異常回数記憶手段１６−１の有する信号有回数記憶手段１６−１１ａが信号有無検出手段により検出した信号有りの回数を記憶するようになっているので、警告手段１４−８の警告によって、有無検出レベル以上であるが基準レベルを越える受信信号のない振幅異常を知らせることができる。
【００１８】
請求項４記載の発明は、請求項２又は３記載の超音波式ガス流量計測部の異常診断装置において、前記振幅異常検出手段１４−６１が、前記基準レベル以上の受信信号を受信しないとき、該基準レベルより小さい有無検出レベル以上の受信信号の有無を検出する信号有無検出手段１４−６１１を有し、前記振幅異常回数記憶手段１６−１が、前記信号有無検出手段により検出した信号無しの回数を記憶する信号無回数記憶手段１６−１１ｂを有することを特徴とする超音波式ガス流量計測部の異常診断装置に存する。
【００１９】
請求項４記載の超音波式ガス流量計測部の異常診断装置においては、請求項２又は３記載の発明の作用に加え、振幅異常検出手段１４−６１の有する信号有無検出手段１４−６１１が、基準レベル以上の受信信号を受信しないとき、該基準レベルより小さい有無検出レベル以上の受信信号の有無を検出し、振幅異常回数記憶手段１６−１の有する信号無回数記憶手段１６−１１ｂが信号有無検出手段により検出した信号無しの回数を記憶するようになっているので、警告手段１４−８の警告によって、基準レベルは勿論、基準レベルより小さい有無検出レベルを越える受信信号すら無い振幅異常を知らせることができる。
【００２０】
請求項５記載の発明は、請求項２〜４のいずれかに記載の超音波式ガス流量計測部の異常診断装置において、前記振幅異常検出手段１４−６１が、前記遅延時間以前に予定外に受信する前記基準レベル以上の信号の有無を検出する予定外信号有無検出手段１４−６１２を有し、前記振幅異常回数記憶手段１６−１が、前記予定外信号有無検出手段により検出した予定外信号有りの回数を記憶する予定外信号有回数記憶手段１６−１２を有することを特徴とする超音波式ガス流量計測部の異常診断装置に存する。
【００２１】
請求項５記載の超音波式ガス流量計測部の異常診断装置においては、請求項２〜４のいずれかに記載の発明の作用に加え、振幅異常検出手段１４−６１の有する予定外信号有無検出手段１４−６１２が遅延時間以前に予定外に受信する基準レベル以上の信号の有無を検出し、振幅異常回数記憶手段１６−１の有する予定外信号有回数記憶手段１６−１２が予定外信号有無検出手段により検出した予定外信号有りの回数を記憶するようになっているので、警告手段１４−８の警告によって、本来検出するはずのない信号を受信する振幅異常を知らせることができる。
【００２２】
請求項６記載の発明は、請求項２〜５のいずれかに記載の超音波式ガス流量計測部の異常診断装置において、前記振幅異常検出手段１４−６１が、前記基準レベルより大きい過大レベルの受信信号の有無を検出する過大信号有無検出手段１４−６１３を有し、前記振幅異常回数記憶手段１６−１が、前記過大信号有無検出手段により検出した過大信号有りの回数を記憶する過大信号有回数記憶手段１６−１３を有することを特徴とする超音波式ガス流量計測部の異常診断装置に存する。
【００２３】
請求項６記載の超音波式ガス流量計測部の異常診断装置においては、請求項２〜５記載の発明の作用に加え、振幅異常検出手段１４−６１の有する過大信号有無検出手段１４−６１２が基準レベルより大きい過大レベルの受信信号の有無を検出し、振幅異常回数記憶手段１６−１の有する過大信号有回数記憶手段１６−１３が過大信号有無検出手段により検出した過大信号有りの回数を記憶するようになっているので、警告手段１４−８の警告によって、基準レベルより大きい過大レベルの受信信号を受信する振幅異常を知らせることができる。
【００２８】
請求項７記載の発明は、請求項１〜６のいずれかに記載の超音波式ガス流量計測部の異常診断装置において、前記異常検出手段１４−６が、前記流量演算手段によって算出した流量について複数項目の異常を検出する流量異常検出手段１４−６４を有することを特徴とする超音波式ガス流量計測部の異常診断装置に存する。
【００２９】
請求項７記載の超音波式ガス流量計測部の異常診断装置においては、請求項１〜６のいずれかに記載の発明の作用に加え、異常検出手段１４−６の有する流量異常検出手段１４−６４が流量演算手段によって算出した流量について複数項目の異常を検出するようになっているので、警告手段１４−８の警告によって、複数項目の流量異常を知らせることができる。
【００３０】
請求項８記載の発明は、請求項７記載の超音波式ガス流量計測部の異常診断装置において、前記流量異常検出手段１４−６４が、流量のない状態から０以下の流量が所定時間継続したことを検出し、該回数を逆流として計数する逆流回数計数手段１４−６４１を有し、前記異常データ記憶手段が、前記逆流回数計数手段による計数値を記憶することを特徴とする超音波式ガス流量計測部の異常診断装置に存する。
【００３１】
請求項８記載の超音波式ガス流量計測部の異常診断装置においては、請求項７記載の発明の作用に加え、流量異常検出手段１４−６４の有する逆流回数計数手段１４−６４１が流量のない状態から０以下の流量が所定時間継続したことを検出して回数を逆流回数として計数し、異常データ記憶手段が逆流回数計数手段による計数値を記憶するようになっているので、警告手段１４−８の警告によって、逆流の発生を知らせることができる。
【００３２】
請求項９記載の発明は、請求項１〜８のいずれかに記載の超音波式ガス流量計測部の異常診断装置において、前記警告手段１４−８が、音によって警告を行う放音警告手段、表示によって警告を行う表示警告手段、前記異常データ記憶手段に記憶している異常データを通信回線を介して遠隔地に送出する遠隔警告手段の少なくとも１つを有することを特徴とする超音波式ガス流量計測部の異常診断装置に存する。
【００３３】
請求項９記載の超音波式ガス流量計測部の異常診断装置においては、請求項１〜８のいずれかに記載の発明の作用に加え、警告手段１４−８が音、表示、あるいは、異常データ記憶手段に記憶している異常データの遠隔地への送出によって異常を警告するようになっているので、警告手段１４−８の警告を必要に応じた方法で行うことができる。
【００３４】
請求項１０記載の発明は、請求項１〜９のいずれかに記載の超音波式ガス流量計測部の異常診断装置と、前記超音波式ガス流量計測部の備える前記流量演算手段により算出した流量を積算してガス使用量を計量するとともに計量値を表示する計量表示手段１４−９とを備えることを特徴とする超音波式ガスメータに存する。
【００３５】
請求項１０記載の超音波式ガスメータにおいては、積算すべき流量の計測を狂わせる異常の原因を異常診断装置が具体的に特定することができる。
【００３６】
【発明の実施の形態】
以下、本発明の実施の形態を図面に基づいて説明する。
図２は本発明の超音波式ガス流量計測部の異常診断装置と異常診断装置を備えた超音波式ガスメータの実施の形態を示している。図示の超音波式ガスメータは、流体であるガスを流すガスメータ中の流路としてのガス流路１０内にガス流方向において距離Ｌだけ離され互いに対向して配置された超音波周波数で作動する例えば圧電式の第１及び第２の振動子ＴＤ１及びＴＤ２を有する。
【００３７】
各振動子ＴＤ１及びＴＤ２、はインタフェース（Ｉ／Ｆ）回路１１ａ及び１１ｂをそれぞれ介して送信回路１２及び受信回路１３に接続されている。送信回路１２は、演算処理制御部１４の制御の下で、振動子ＴＤ１、ＴＤ２の一方を駆動して超音波信号を発生させる信号をパルスバーストの形で送信し、このための発振回路（図示せず）を内蔵している。受信回路１３は、ガス流路１０を通過した超音波信号を受信した他方の振動子ＴＤ１、ＴＤ２からの信号を入力して超音波信号を増幅する前置増幅器（図示せず）を内蔵し、増幅した信号を演算処理制御部１４に対して入力している。演算処理制御部１４には、異常検出処理によって検出された異常のデータを記憶するため、バックアップ電源を必要としない異常データ記憶手段を構成するＥ2 ＰＲＯＭのような不揮発性メモリ１６が接続されている。また、演算処理制御部１４には、ガスメータの保守管理業務を行っている施設などの監視装置に対して記憶している異常データを有線又は無線の通信回線を介して送出したり、通信回線を介しての監視装置側からの定期的なポーリングに応じて記憶している異常データを送出するための網制御ユニット（ＮＣＵ）１７が接続されている。
【００３８】
また、演算処理制御部１４は、高速に信号を処理するデジタル信号処理ユニットや、これを制御するためのマイクロコンピュータなどを有し、マイクロコンピュータはプログラムに従って各種の処理を行う中央処理ユニット（ＣＰＵ）、ＣＰＵが行う処理のプログラムなどを格納した読み出し専用のメモリであるＲＯＭ、ＣＰＵでの各種の処理過程で利用するワークエリア、各種データを格納するデータ格納エリアなどを有する読み出し書き込み自在のメモリであるＲＡＭ、時計及びカレンダなどを内蔵する。
【００３９】
演算処理制御部１４は、流量を計測するため以下のような処理を行う。まず、送信回路１２から信号を供給する振動子と受信回路１３で超音波信号を受信する振動子とを交互に切り換える切換制御を行う。また、受信回路１３で受信され増幅された信号をＡ／Ｄ変換して入力し、この入力した信号を予め設定した基準レベルと比較する。この比較によって基準レベル以上の信号の入力を検出したとき、予め定めた時間遅延させて、送信回路１２から振動子を駆動するための信号を送信させる動作を予め定めた設定回数繰り返す。このことによって、送信回路から信号を送信させた後、受信回路１３を介して受信した信号が基準レベルを越えたことを検出する毎に、上述の動作を設定回数繰り返すが、ＣＰＵ内に構成したタイマカウンタに、繰り返しの開始からの時間を計時する動作を開始させ、設定回数が終了したときに停止させることで、設定回数の送信の開始から送信の終了までの時間を計測する。
【００４０】
一方の振動子から送信して他方の振動子によって受信した超音波信号に基づいて時間計測が行われた後、送信側と受信側の振動子を切り換えて、例えば下流から上流に向かって超音波信号を発信し、この発信を上述のように繰り返し、その時間を計時する。そして、上述のように計時した時間の時間差からガス流路１０の大きさや流れの状態を考慮して流量演算を行って流量値を求める。また、この流量値を積算して積算流量を求め、この流量積算によって求めた流量積算値を表示器１５に表示させることでガス使用量を計量表示する。
【００４１】
上述のように超音波を受信して繰り返し送信すると、振動子間を反射する超音波信号が送信波と重畳するが、上述のように送信タイミングを遅延させることによって、反射波の干渉を防ぐことができる。
【００４２】
以上によって、計測が開始すると、第１の振動子ＴＤ１から第２の振動子へ超音波を送信可能な状態にする。駆動によってバースト送信が開始され、上述のように超音波の受信と送信が所定の時間の遅延をもって連続的に繰り返され、繰り返し回数が設定値に達すると、繰り返しを停止するとともに、タイマカウンタを停止させて計時して時間Ｔ１を計測する。次に、第２の振動子ＴＤ２から第１の振動子ＴＤ１へ超音波を送信可能な状態に切り換える。そして、超音波の送受信の繰り返しを行い、時間Ｔ２を計測して計測を終了する。
時間Ｔ１とＴ２は遅延時間Ｔｄを含んでいるので、遅延除去処理を行って遅延時間を差し引いて真の超音波伝搬時間Ｔ１′とＴ２′を算出する。すなわち、
Ｔ１′＝Ｔ１−Ｔｄ      （１）
Ｔ２′＝Ｔ２−Ｔｄ      （２）
このＴ１′とＴ２′の平均値から平均伝搬時間が求められ、その平均伝搬時間と振動子ＴＤ１とＴＤ２の距離Ｌから、測定したときの音速Ｃが求められる。すなわち、
Ｃ＝Ｌ／（（Ｔ１′＋Ｔ２′）／２）      （３）
この音速Ｃは温度ｔと
Ｃ＝３３１．５＋０．６０７ｔ        （４）
の関係にあるので、温度が算出できる。
【００４３】
上述のＴ１′とＴ２′の差にガス流路の形状によって決まる流量係数Ｋ１と、温度ｔ１による補正係数Ｋ２により流量演算によって流量値Ｑを求める。すなわち、
Ｑ＝Ｋ１×Ｋ２×（Ｔ１′−Ｔ２′）      （５）
なお、ガスの流速をＶとすると、
Ｔ１′＝Ｌ／（Ｃ＋Ｖ）        （６）
Ｔ２′＝Ｌ／（Ｃ−Ｖ）        （７）
となっており、この時間Ｔ１′とＴ２′の逆数を求めて流量係数Ｋ３を乗じて流量Ｑを求めると、
Ｑ＝Ｋ３×（（１／Ｔ１′）−（１／Ｔ２′））      （８）
となって、温度によって変化する音速Ｃの補正を行わずに流量を算出することができる。
【００４４】
演算処理制御部１４はまた、ガス流路１０を通過した超音波信号を受信した他方の振動子ＴＤ１、ＴＤ２からの信号を受信した超音波信号を受信回路１３にて増幅した後Ａ／Ｄ変換して入力すると、上述した流量Ｑの演算を行う前、及び行った後に、各種の異常を検出する異常検出処理を行う他、検出した異常に基づいて異常データを記憶する異常データ記憶処理を行うとともに、記憶した異常データに基づいて警告処理を行う。
【００４５】
演算処理制御部１４が行う異常検出処理及び異常データ記憶処理においては、受信信号の振幅異常と、時間計測の計測異常と、演算した流量に基づく流量異常とをそれぞれ検出する処理とこの検出結果を記憶する処理とが含まれる。異常検出処理によって検出された異常はデータ化して演算処理制御部１４に接続された異常データ記憶手段としての不揮発性メモリ１６に記憶される。
【００４６】
まず、振幅異常検出処理では、異常データは不揮発性メモリ１６内に振幅異常回数記憶部として形成した振幅異常回数記憶手段（図１、１６−１）に記憶される。具体的には、送信回路１２から信号を送信してから上述した遅延時間に相当する時点で受信回路１３からの信号の入力を開始し、入力した信号レベルを予め定めた基準レベルと比較する。比較の結果、図９について上述したような、超音波が伝搬されてくる筈のない入力開始直後に基準レベルＲを越える信号の入力があったときには、予定外の信号の入力があったことを検出し、その検出回数を計数し、この計数を予定外信号有りの異常を示す異常データとして不揮発性メモリ１６内に予定外信号有回数記憶部として形成した予定外信号有回数記憶手段（図１、１６−１２）に記憶する。この不揮発性メモリ１６に記憶されたデータの異常回数が所定値以上になったとき警告を発するが、このデータを参照することによって、異常の原因が、振動子の取付環境の不備によって、受信回路や比較機能がノイズによる誤動作をしていることにあると判断できる。
【００４７】
上述の比較の結果、図１０について上述した場合のように、基準レベルＲを越える信号を検出しないときには、同図に示すような、基準レベルＲよりも小さな信号の有無を検出するための信号有無検出レベルｒと比較し、有無検出レベルｒを越える信号の有ることを検出したときには、その検出回数を計数し、この計数を有無検出レベル以上であるが基準レベルを越える受信信号のない異常を示す異常データとして不揮発性メモリ１６内に信号有回数記憶部として形成した信号有検出回数記憶手段（図１、１６−１１ａ）に記憶する。この不揮発性メモリ１６に記憶されたデータの計数値が所定値以上になったときに警告が行われるが、このデータを参照することによって、異常原因が、ガス流に含まれる塵などが振動子の表面に付着していたり、ガス流路への振動子の取付不備などにあると判断することができる。
【００４８】
上述の比較の結果、図１１について上述した場合のように、基準レベルＲを越える信号がないだけでなく、信号有無検出レベルｒを越える信号もないことを検出したときには、その検出回数を計数し、この計数を基準レベルだでなく有無検出レベルも越える受信信号すら無い異常を示す異常データとして不揮発性メモリ１６内に信号無回数記憶部として形成した図示しない信号無検出回数記憶手段（図１、１６−１１ｂ）に記憶する。この不揮発性メモリ１６に記憶されたデータの計数値が所定値以上になったときに警告が行われるが、このデータを参照することによって、異常原因が、送信信号又は受信信号を全く発生させなくする各回路や振動子の断線、ショートの発生が予測される。
【００４９】
上述の比較の結果、基準レベルＲを越える信号を検出したときには、次に図１２について上述したような、基準レベルＲより大きな予め定めた過大レベル例えばＶDDと比較し、過大レベルＶDDを越えている信号の有無を検出し、その検出回数を計数し、この計数を過大信号有りの異常を示す異常データとして不揮発性メモリ１６内に過大信号有回数記憶部として形成した過大信号有回数記憶手段（図１、１６−１３）に記憶する。この場合の計数値も所定値以上になったときに警告が発せられるが、異常データの参照によって、送信回路、振動子、受信回路に異常が生じていることや、ガス流路への振動子の取付不備が生じていると判断できる。
【００５０】
次に、時間計測異常検出処理では、まず、送信回路１２から所定時間遅延して信号を送出してから受信回路１３で受信した信号の検出を行うまでの時間を制限し、図３又は図４に示すように、一定時間ｔ内に基準レベルＲ以上のレベルの信号を受信しないこと、又は、基準レベルＲ以上の信号の受信に基づき例えばゼロクロス点である正式受信位置を検出しないことを検出し、その回数を計数する。このような異常は、受信信号の振幅異常によって、基準レベルＲ以上の信号を検出できないことが想定できる。
【００５１】
そしてこの計数が所定値になったとき、未検出異常を示す異常データとして異常データ記憶手段内に未検出回数記憶部として構成した未検出回数記憶手段（図１、１６−２）に記憶し、後述する警告処理によって警告を発するとともに、超音波信号を送受信する振動子を切り換えて次の時間計測動作に移る。この計数値が所定値になっていないときには、基準レベルＲ以上の信号の受信に基づき正式受信位置を検出しなくても、一定時間が経過した時点で、次の駆動を開始させ、設定回数の繰り返し動作を行えるようにする。このようにすることによって、未検出が単発的なものであるときには、これを無視して計測を継続して行えるようになる。
【００５２】
また、図５に示すように、一方の振動子から他方の振動子に超音波信号を繰り返し複数回送出するまでの時間Ｔを制限し、一定期間内に設定回数Ｎ繰り返し動作が行われなかったことを検出し、この検出があったとき、この検出を計数し、この計数値と各未検出時の繰り返し回数とを、設定回数の繰り返し動作が一定期間内に完了しなかったことを示す未完了の異常データとして不揮発性メモリ１６内に形成した未完了回数記憶部（図１、１６−３）に記憶し、後述する警告処理によって警告を発するとともに、超音波信号を送受信する振動子を切り換えて次の時間計測動作に移る。設定回数の繰り返し動作が一定期間内に完了しなかったことを示す未完了の異常データは、基準レベルＲ以上の信号の受信に基づく正式受信位置が何回か検出できなかった場合に、一定期間内に設定回数の繰り返し動作ができなくなることによって形成されるので、このデータを参照することによって、信号の未検出が単発的でｎ回未満であったことに原因があると判断することができ、これに対する対策を容易にとることができる。
【００５３】
さらに、流量異常検出処理では、演算して求めた流量に基づいて、既知の最大流量、増加流量、使用時間オーバー、復帰安全確認中の漏洩、微少漏洩などの異常検出が行われる他に、逆流の各異常を検出する処理が行われる。
【００５４】
まず、逆流異常検出処理では、図６に示すように、流量のない状態から０以下、すなわち逆方向に所定値ｑを越える流量が所定時間Ｓの間継続したことを検出し、その検出回数を逆流の発生回数として計数し、この計数値を異常データとして不揮発性メモリ１６内に記憶し、異常回数が所定値を越えたとき後述する警告処理によって警告を発する。
【００５５】
演算処理制御部１４が行う警告処理においては、音によって警告を行う放音警告、表示によって警告を行う表示警告、異常データ記憶手段に記憶している異常データを通信回線を介して遠隔地に送出する遠隔警告の少なくとも１つが行われ、いずれの場合にも、少なくとも必要に応じて、記憶した異常データによって異常の内容を具体的に知らせることができるようになっている。また、記憶した異常データを読み出したとき、通信によって或いはスイッチ操作によって外部からリセット要求したときにクリアできるようにする。
【００５６】
音による警告は、異常発生が所定回数或いは所定時間以上発生した場合に、フザー音又は音声によって行わせることができる。表示による警告は、積算流量及びセキュリティ表示を行う例えば液晶或いはＬＥＤなどからなる表示器１５に一緒にあるいは選択的に全項目又は異常の有無のみのを行わせることができる。なお、電池電源の消耗を最小限に抑えるためには、外部スイッチの操作時のみ表示を行うようにすることもできる。また、遠隔地への通信による警告は、異常発生時に網制御ユニットを介して端末発呼によって行い、ガスメータの保守管理業務を行っている施設などの監視装置に対して記憶している異常データを送出したり、監視装置側からの定期的なポーリングに応じて記憶している異常データを送出することもできる。何れにしても、警告があったときには、異常データを参照することによって、異常の原因を特定して異常に対する対策を容易にかつ早急に取ることができる。
【００５７】
具体的には、超音波式ガスメータに組み込まれたときには、種々の効果が得られる。例えば、ガスメータ異常の早期の発見、早期の警告、早期の通報が可能になり、計量器の検量満了前でも、使用公差を担保するための修理勧告や警告が可能になるので、ユーザに安心を与えることができる他、警告があったときには異常発生部の容易な特定によって迅速な復旧工事ができるようになり、事故の未然の防止を図ることができる。また、クレーム返品があった場合にも、故障の詳細な解析が可能になり、事後の対策を容易にすることができる。
【００５８】
以上概略動作を説明したが、演算処理制御部１４のＣＰＵが行う処理を示す図７のフローチャートを参照して、以下その詳細を説明する。
【００５９】
演算処理制御部１４は例えば電源投入によって動作を開始し、その最初のステップＳ１において送信回路１２に第１の振動子ＴＤ１を接続するとともに、受信回路１３に第２の振動子ＴＤ２を接続する切り換えを行ってからステップＳ２に進んで駆動を行うとともに、繰り返し回数をインクリメントして計数する。次のステップＳ３に進んで駆動回数が２であるか否かを判定し、判定がＹＥＳのときにはステップＳ４に進んで時間計測のための計時を開始し、ＮＯのときにはステップＳ４を飛ばしてステップＳ５に進んで送信遅延時間の経過を待ってからステップＳ６に進み、ここで送信回路１２を介して振動子１２を叩く送信信号を出力して超音波信号を発生させる。
【００６０】
次にステップＳ７に進んで第２の振動子ＴＤ２が超音波信号を受信して変換して得られる電気信号を受信回路１３によって増幅した後Ａ／Ｄ変換して入力するとともに、この入力した信号の振幅異常を検出するための振幅異常検出処理を行う。その後、ステップＳ８に進んで上記ステップＳ２での最初の駆動からの経過時間が予め定めた一定時間ｔを経過しているか否かを判定し、経過しておらずステップＳ８の判定がＮＯのときにはステップＳ９に進んで上記ステップＳ７で入力した受信信号が予め定めた基準レベル以上となったか否かを判定し、越えておらずステップＳ９の判定がＮＯのときには上記ステップＳ７に戻り、一定時間ｔが経過してステップＳ８の判定がＹＥＳになるか又は基準レベル以上となってステップＳ９の判定をＹＥＳとなるまで受信回路１３によって増幅された電気信号をＡ／Ｄ変換して入力し続ける。
【００６１】
基準レベル以上の信号を検出しステップＳ９の判定がＹＥＳなるとステップＳ１０に進んで再度受信回路１３によって増幅された電気信号をＡ／Ｄ変換して入力してからステップＳ１１に進んで上記ステップＳ２での最初の駆動からの経過時間が予め定めた一定時間ｔを経過しているか否かを判定し、経過していなくてステップＳ１１の判定がＮＯのときにはステップＳ１２に進んで上記ステップＳ１０で入力した受信信号がゼロクロスしたか否かを判定する。ゼロクロス点を検出できずステップＳ１２の判定がＮＯのときには上記ステップＳ１０に戻り、一定時間ｔが経過してステップＳ１１の判定がＹＥＳになるか又はゼロクロスしたことを検出してステップＳ１２の判定がＹＥＳとなるまで受信回路１３によって増幅された信号をＡ／Ｄ変換して入力し続ける。
【００６２】
ゼロクロス点を検出しステップＳ１２の判定がＹＥＳなるとステップＳ１３に進んで上記ステップＳ２において計数している駆動回数に基づいて繰り返し回数が設定回数Ｎとなったか否かを判定し、設定回数ＮになっておらずステップＳ１３の判定がＮＯのときにはステップＳ１４に進んで上記ステップＳ２での最初の駆動からの経過時間が予め定めた一定期間Ｔを経過しているか否かを判定し、越えておらずステップＳ１４の判定がＮＯのときには上記ステップＳ２に戻って駆動を再開するとともに駆動回数をインクリメントして計数し、次のステップＳ５において送信遅延時間の経過を待ってからステップＳ６に進み、ここで送信回路１２を介して第１の振動子１２を叩く送信信号を出力して超音波信号を発生させる上述の動作を繰り返す。
【００６３】
繰り返し回数が設定回数Ｎとなって上記ステップＳ１３の判定がＹＥＳになるとステップＳ１５に進んで上記ステップＳ４において開始した時間計測のための計時を終了し、そのときの超音波伝搬時間Ｔ１を得る。その後ステップＳ１６に進んで時間計測が終了したか否かを判定するが、第２の振動子ＴＤ２から第１の振動子ＴＤ１への超音波伝搬時間Ｔ２の計測が終わっていないので、ステップＳ１６の判定はＮＯとなり、上記ステップ１に戻って送信回路１２に第２の振動子ＴＤ２を接続するとともに、受信回路１３に第１の振動子ＴＤ１を接続する切り換えを行ってから上述したステップＳ２以降の処理を繰り返す。
【００６４】
この繰り返し処理によってステップＳ１３の判定がＹＥＳになったときには、ステップＳ１５において第２の振動子ＴＤ２から第１の振動子ＴＤ１への超音波伝搬時間Ｔ２の時間計測が終了してステップＳ１６の判定もＹＥＳとなってステップＳ１７に進む。ステップＳ１７においては上記ステップＳ１５において計測した伝搬時間Ｔ１及びＴ２に含まれている遅延時間Ｔｄを除去して伝搬時間Ｔ１′とＴ２′を求める。その後ステップＳ１８に進んでステップＳ１７において求めた伝搬時間Ｔ１′とＴ２′とによって上述した式（８）に基づいて流量Ｑを演算する。その後ステップＳ１９に進んでステップＳ１８において演算した流量に基づいて流量異常検出処理を行い、ステップＳ１９における流量異常検出処理が終わったら次の時間計測のため上記ステップＳ１に戻って上述の処理を繰り返す。
【００６５】
なお、ステップＳ９において基準レベル以上の受信信号を一定時間ｔ内に検出できないとき、あるいは、基準レベル以上の受信信号の検出は行えたがその後のステップＳ１２においてゼロクロスしたことを一定時間内に検出できないときには、ステップＳ２０に進んでその回数を計数する。そして、その後のステップＳ２１において計数値がｎ回になったか否かを判定し、ｎ回未満のときには上述のステップＳ２に戻って駆動を再開し、計数値がｎ回となってステップＳ２１の判定がＹＥＳとなったときにはステップＳ２２に進んで計数値を異常データとして不揮発性メモリからなる異常データ記憶手段に記憶してから上述のステップＳ１に戻って上述の処理を繰り返す。
【００６６】
また、繰り返しが設定回数Ｎとなる前に一定期間Ｔを経過してステップＳ１４の判定がＹＥＳになったときには繰り返し動作が未完了であったとしてステップＳ２３に進んでその回数を計数し、その計数値と繰り返しが未完了であったときの繰り返し回数とを異常データとして不揮発性メモリからなる異常データ記憶手段に記憶してから上述のステップＳ１に戻って上述の処理を繰り返す。
【００６７】
なお、ステップＳ７、ステップＳ１０の振幅異常検出処理においては、図９〜図１２を参照して説明したような異常データの記憶、警告処理も行う。また、ステップＳ１９の流量異常検出処理では、図６について上述したような異常データの記憶、警告処理も行う。
【００６８】
【発明の効果】
以上説明したように請求項１記載の発明によれば、警告によって項目別の異常を知らせることができるので、異常発生の原因を具体的に特定することができるような異常診断を行える超音波式ガス流量計測部の異常診断装置が得られる。
そして、超音波式ガス流量計測部の異常診断装置では、警告によって、超音波信号を送信した後、一定時間内に基準レベル以上の信号を受信しないこと、又は、基準レベル以上の信号の受信に基づき正式受信位置を検出しない未検出異常を知らせることができるので、基準レベル以上の信号を受信できない、又は、正式受信位置を検出できない未検出異常を生じさせる原因を具体的に特定することができるような異常診断を行え、しかも、警告によって、予め定めた期間内に超音波伝搬を予め定めた複数回行えない時間計測異常を知らせることができるので、予め定めた期間内に超音波伝搬を予め定めた複数回行えない時間計測異常を生じさせる原因を具体的に特定することができるような異常診断を行えるようになっている。
【００６９】
また、請求項２記載の発明によれば、警告によって受信信号の振幅についての複数項目の異常を知らせることができるので、受信信号の振幅についての複数項目の異常発生の原因を具体的に特定することができるような異常診断を行える超音波式ガス流量計測部の異常診断装置が得られる。
【００７０】
更に、請求項３記載の発明によれば、有無検出レベル以上であるが基準レベルを越える受信信号のない振幅異常を知らせることができるので、有無検出レベル以上であるが基準レベルを越える受信信号のない振幅異常を生じさせる原因を具体的に特定することができるような異常診断を行える超音波式ガス流量計測部の異常診断装置が得られる。
【００７１】
更に、請求項４記載の発明によれば、基準レベルは勿論、基準レベルより小さい有無検出レベルを越える受信信号すら無い振幅異常を知らせることができるので、基準レベルは勿論、基準レベルより小さい有無検出レベルを越える受信信号すら無い振幅異常を生じさせる原因を具体的に特定することができるような異常診断を行える超音波式ガス流量計測部の異常診断装置が得られる。
【００７２】
請求項５記載の発明によれば、本来検出するはずのない信号を受信する振幅異常を知らせることができるので、本来検出するはずのない信号を受信する振幅異常を生じさせる原因を具体的に特定することができるような異常診断を行える超音波式ガス流量計測部の異常診断装置が得られる。
【００７３】
請求項６記載の発明によれば、警告によって、基準レベルより大きい過大レベルの受信信号を受信する振幅異常を知らせることができるので、過大レベルの受信信号を受信させる振幅異常を生じさせる原因を具体的に特定することができるような異常診断を行える超音波式ガス流量計測部の異常診断装置が得られる。
【００７６】
請求項７記載の発明によれば、警告によって、複数項目の流量異常を知らせることができるので、流量異常発生の原因を具体的に特定することができるような異常診断を行える超音波式ガス流量計測部の異常診断装置が得られる。
【００７７】
請求項８記載の発明によれば、警告によって、逆流の発生を知らせることができるので、逆流を生じさせる原因を具体的に特定することができるような異常診断を行える超音波式ガス流量計測部の異常診断装置が得られる。
【００７８】
請求項９記載の発明によれば、警告を必要に応じた方法で行うことができるので、早急に異常の原因を具体的に特定することができるような異常診断を行える超音波式ガス流量計測部の異常診断装置が得られる。
【００７９】
請求項１０記載の発明によれば、異常の原因を具体的に特定することができるような異常診断を行えるので、計測流量に誤積算が生じたり、計測流量によって行われるガス流量異常の誤判定が生じたりする原因を具体的に特定して早期に対処できる超音波式ガスメータが得られる。
【図面の簡単な説明】
【図１】本発明による超音波式ガス流量計測部の異常診断装置及び該装置を組み込んだ超音波式ガスメータの基本構成を示すブロック図である。
【図２】本発明による超音波式ガス流量計測部の異常診断装置及び該装置を組み込んだ超音波式ガスメータの一実施の形態を示す図である。
【図３】受信の未検出異常の一例を示す送信信号と受信信号の波形図である。
【図４】受信信号の未検出異常の他の例を示す送信信号と受信信号の波形図である。
【図５】時間計測を完了した場合と未完了の場合の両者を比較して示す送信信号と受信信号の簡略波形図である。
【図６】逆流異常が発生したときの受信信号の波形例を示す波形図である。
【図７】図３中の演算処理制御部が行う処理の一例を示すフローチャートである。
【図８】超音波式において超音波伝搬時間を計測する方法の一例を説明するための送信信号と受信信号の波形図である。
【図９】受信信号の振幅異常の一例を示す波形図である。
【図１０】受信信号の振幅異常の他の例を示す波形図である。
【図１１】図１２と同様の受信信号の未検出振幅異常の例を示す波形図である。
【図１２】受信信号の過大振幅異常の一例を示す波形図である。
【符号の説明】
１０            ガス流路
ＴＤ１          第１の振動子
ＴＤ２          第２の振動子
１４−１        切換手段（演算処理制御部）
１４−２        繰り返し手段（演算処理制御部）
１４−３        遅延手段（演算処理制御部）
１４−４        計時手段手段（演算処理制御部）
１４−５        流量演算手段手段（演算処理制御部）
１４−６        異常検出手段（演算処理制御部）
１４−６１      振幅異常検出手段（演算処理制御部）
１４−６１１    信号有無異常検出手段（演算処理制御部）
１４−６１２    予定外信号有無検出手段（演算処理制御部）
１４−６１３    過大信号有無検出手段（演算処理制御部）
１４−６２      未検出検出手段（演算処理制御部）
１４−６３      未完了検出手段（演算処理制御部）
１４−６４      流量異常検出手段（演算処理制御部）
１４−６４１    逆流回数計数手段（演算処理制御部）
１４−６４２    再液化回数計数手段（演算処理制御部）
１４−６４３    脈流回数計数手段（演算処理制御部）
１６            異常データ記憶手段（演算処理制御部）
１６−１        振幅異常回数記憶手段（不揮発性メモリ）
１６−１１ａ    信号有検出回数記憶手段（不揮発性メモリ）
１６−１１ｂ    信号無検出回数記憶手段（不揮発性メモリ）
１６−１２      予定外信号有回数記憶手段（不揮発性メモリ）
１６−１３      過大信号有回数検出手段（不揮発性メモリ）
１６−２        未検出回数記憶手段（不揮発性メモリ）
１６−３        未完了回数記憶手段（不揮発性メモリ）
１４−８        警告手段（演算処理制御部）
１４−９        計量表示手段（演算処理制御部）
【図１】
0004673950.tif 000002
【図２】
0004673950.tif 000003
【図３】
0004673950.tif 000004
【図４】
0004673950.tif 000005
【図５】
0004673950.tif 000006
【図６】
0004673950.tif 000007
【図７】
0004673950.tif 000008
【図８】
0004673950.tif 000009
【図９】
0004673950.tif 000010
【図１０】
0004673950.tif 000011
【図１１】
0004673950.tif 000012
【図１２】
0004673950.tif 000013